【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
記憶媒体が有する複数のフォルダ内に記憶されている複数のファイルに対して所定の処理を一括して実行する情報処理装置であって、
前記複数のフォルダ中の１つのフォルダを選択可能なフォルダ一覧を表示するフォルダ一覧表示エリアと、選択したフォルダ内に記憶されているファイル一覧を表示するファイル一覧表示エリアとを有するウインドウを表示するウインドウ表示手段と、
前記フォルダ一覧表示エリア内で新たなフォルダが所定の指示手段によって指示された場合、当該指示されたフォルダに記憶されているファイルの一覧を表示すべく前記ファイル一覧表示エリアを更新する更新手段と、
前記ファイル一覧表示エリア内で、処理対象となるファイルが前記所定の指示手段で指示された場合、当該指示されたファイルを特定する情報と、当該ファイルを格納しているフォルダの所在情報とを関連付けて記憶する記憶手段と、
前記所定の処理の処理開始指示が入力された場合、前記記憶手段に記憶された情報に基づき、選択されたファイルを順次処理する処理手段とを備え、
前記ウインドウ表示手段は、前記記憶手段に記憶されたフォルダの所在情報に基づき、前記フォルダ一覧表示エリア内の、処理対象のファイルを記憶しているフォルダと、処理対象のファイルを記憶していないフォルダとを異なる形態で表示する
ことを特徴とする情報処理装置。
【請求項２】
前記ファイルは画像ファイルであり、前記処理手段は印刷装置への出力処理であって、
前記ファイル一覧表示エリア中には、ファイルのサムネイル画像、及び、印刷部数、及び、印刷部数の増減を指示するシンボルを表示し、
前記記憶手段は、印刷部数が“１”以上となったファイルのファイル名を、当該ファイルを含むフォルダの所在情報と関連づけて記憶する
ことを特徴とする請求項１に記載の情報処理装置。
【請求項３】
前記ウインドウ表示手段は、処理対象として指定されたファイルによる印刷の総数を所定位置に表示することを特徴とする請求項１又は２に記載の情報処理装置。
【請求項４】
前記ウインドウ表示手段は、前記フォルダ一覧表示エリア及び前記ファイル一覧表示エリアで構成されるウインドウと、印刷媒体のサイズ及び種類を指示するためのウインドウと、レイアウトを指示するためのウインドウとを切り替え可能に表示することを特徴とする請求項２に記載の情報処理装置。
【請求項５】
記憶媒体が有する複数のフォルダ内に記憶されている複数のファイルに対して所定の処理を一括して実行する情報処理装置の制御方法であって、
前記複数のフォルダ中の１つのフォルダを選択可能なフォルダ一覧を表示するフォルダ一覧表示エリアと、選択したフォルダ内に記憶されているファイル一覧を表示するファイル一覧表示エリアとを有するウインドウを表示するウインドウ表示工程と、
前記フォルダ一覧表示エリア内で新たなフォルダが所定の指示手段によって指示された場合、当該指示されたフォルダに記憶されているファイルの一覧を表示すべく前記ファイル一覧表示エリアを更新する更新工程と、
前記ファイル一覧表示エリア内で、処理対象となる新たなデータファイルが前記所定の指示手段で指示された場合、当該指示されたファイルを特定する情報と、当該ファイルを格納しているフォルダの所在情報とを関連付けて所定の記憶手段に格納する格納工程と、
前記所定の処理の処理開始指示が入力された場合、前記記憶手段に記憶された情報に基づき、選択されたファイルを順次処理する処理工程とを備え、
前記ウインドウ表示工程は、前記記憶手段に記憶されたフォルダの所在情報に基づき、前記フォルダ一覧表示エリア内の、処理対象のファイルを記憶しているフォルダと、処理対象のファイルを記憶していないフォルダとを異なる形態で表示する
ことを特徴とする情報処理装置の制御方法。
【請求項６】
コンピュータに読み込ませ実行させることで、前記コンピュータを、記憶媒体が有する複数のフォルダ内に記憶されている複数のファイルに対して所定の処理を一括して実行する情報処理装置として機能させるコンピュータプログラムであって、
前記複数のフォルダ中の１つのフォルダを選択可能なフォルダ一覧を表示するフォルダ一覧表示エリアと、選択したフォルダ内に記憶されているファイル一覧を表示するファイル一覧表示エリアとを有するウインドウを表示するウインドウ表示手段と、
前記フォルダ一覧表示エリア内で新たなフォルダが所定の指示手段によって指示された場合、当該指示されたフォルダに記憶されているファイルの一覧を表示すべく前記ファイル一覧表示エリアを更新する更新手段と、
前記ファイル一覧表示エリア内で、処理対象となるファイルが前記所定の指示手段で指示された場合、当該指示されたファイルを特定する情報と、当該ファイルを格納しているフォルダの所在情報とを関連付けて記憶する記憶手段と、
前記所定の処理の処理開始指示が入力された場合、前記記憶手段に記憶された情報に基づき、選択されたファイルを順次処理する処理手段として機能させ、
前記ウインドウ表示手段は、前記記憶手段に記憶されたフォルダの所在情報に基づき、前記フォルダ一覧表示エリア内の、処理対象のファイルを記憶しているフォルダと、処理対象のファイルを記憶していないフォルダとを異なる形態で表示する
ことを特徴とするコンピュータプログラム。
【請求項７】
請求項６に記載のコンピュータプログラムを格納したことを特徴とするコンピュータ可読記憶媒体。
【請求項８】
記憶媒体が有する複数のフォルダ内に記憶された複数のファイルを印刷させる情報処理装置であって、
フォルダの選択履歴に応じて、選択フォルダの一覧を表示する選択フォルダ一覧表示エリアと、選択フォルダ内に記憶されているファイル一覧を表示するファイル一覧表示エリアとを有するウインドウを表示するウインドウ表示手段と、
前記選択フォルダ内で、印刷対象となるファイルが所定の指示手段で指示された場合、当該指示されたファイルを特定する情報を記憶する記憶手段とを備え、
前記ウインドウ表示手段は、前記記憶手段で記憶している内容に基づき、前記選択フォルダ一覧表示エリアで表示されるフォルダのうち、印刷対象のファイルを記憶しているフォルダと、印刷対象のファイルを記憶していないフォルダとを異なる形態で表示する
ことを特徴とする情報処理装置。
【請求項９】
前記ウインドウ表示手段は、前記選択フォルダ一覧表示エリア内でフォルダを選択したことに応じて、選択されたフォルダに記憶されているファイルの一覧を、前記記憶手段で記憶している内容を反映させて、前記ファイル一覧表示エリアに表示することを特徴とする請求項８に記載の情報処理装置。
【請求項１０】
更に、前記選択フォルダ一覧表示エリアとは異なる表示エリアであって、前記記憶媒体が有する複数のフォルダの一覧を表示するフォルダ一覧表示エリアを有し、
前記ウインドウ表示手段は、前記フォルダ一覧表示エリアでフォルダを選択したことに応じて、選択されたフォルダに記憶されているファイルの一覧を前記ファイル一覧表示エリアに表示することを特徴とする請求項８又は９に記載の情報処理装置。
【請求項１１】
さらに、前記選択履歴を記憶する履歴記憶手段を有し、
前記選択履歴は、前記ファイル一覧表示エリア内で1つ以上のファイルに対して印刷対象としての指示がなされた状態で、別のフォルダが選択されたことに応じて、当該指示されたファイルを記憶しているフォルダの所在情報を前記履歴記憶手段に記憶することを特徴とする請求項８に記載の情報処理装置。
【請求項１２】
さらに、前記選択履歴を記憶する履歴記憶手段を有し、
前記選択履歴は、前記ファイル一覧表示エリア内で印刷対象ファイルの指示がなされたことに応じて、指示されたファイルを記憶しているフォルダの所在情報を前記履歴記憶手段に記憶することを特徴とする請求項８に記載の情報処理装置。
【請求項１３】
記憶媒体が有する複数のフォルダ内に記憶された複数のファイルを印刷させる情報処理装置の制御方法であって、
フォルダの選択履歴に応じて、選択フォルダの一覧を表示する選択フォルダ一覧表示エリアと、選択フォルダ内に記憶されているファイル一覧を表示するファイル一覧表示エリアとを有するウインドウを表示するウインドウ表示工程と、
前記選択フォルダ内で、印刷対象となるファイルが所定の指示手段で指示された場合、当該指示されたファイルを特定する情報を記憶手段に格納する工程とを備え、
前記ウインドウ表示工程は、前記記憶手段で記憶している内容に基づき、前記選択フォルダ一覧表示エリアで表示されるフォルダのうち、印刷対象のファイルを記憶しているフォルダと、印刷対象のファイルを記憶していないフォルダとを異なる形態で表示する
ことを特徴とする情報処理装置の制御方法。
【請求項１４】
コンピュータに読み込ませ実行させることで、前記コンピュータを、記憶媒体が有する複数のフォルダ内に記憶された複数のファイルを印刷させる情報処理装置として機能させるコンピュータプログラムであって、
フォルダの選択履歴に応じて、選択フォルダの一覧を表示する選択フォルダ一覧表示エリアと、選択フォルダ内に記憶されているファイル一覧を表示するファイル一覧表示エリアとを有するウインドウを表示するウインドウ表示手段と、
前記選択フォルダ内で、印刷対象となるファイルが所定の指示手段で指示された場合、当該指示されたファイルを特定する情報を記憶する記憶手段として機能させ、
前記ウインドウ表示手段は、前記記憶手段で記憶している内容に基づき、前記選択フォルダ一覧表示エリアで表示されるフォルダのうち、印刷対象のファイルを記憶しているフォルダと、印刷対象のファイルを記憶していないフォルダとを異なる形態で表示する
ことを特徴とするコンピュータプログラム。
【請求項１５】
請求項１４に記載のコンピュータプログラムを格納したことを特徴とするコンピュータ可読記憶媒体。
【手続補正２】
【補正対象書類名】明細書
【補正対象項目名】００１８
【補正方法】変更
【補正の内容】
【００１８】
この課題を解決するため、例えば、本発明の情報処理装置は以下の構成を備える。すなわち、
記憶媒体が有する複数のフォルダ内に記憶されている複数のファイルに対して所定の処理を一括して実行する情報処理装置であって、
前記複数のフォルダ中の１つのフォルダを選択可能なフォルダ一覧を表示するフォルダ一覧表示エリアと、選択したフォルダ内に記憶されているファイル一覧を表示するファイル一覧表示エリアとを有するウインドウを表示するウインドウ表示手段と、
前記フォルダ一覧表示エリア内で新たなフォルダが所定の指示手段によって指示された場合、当該指示されたフォルダに記憶されているファイルの一覧を表示すべく前記ファイル一覧表示エリアを更新する更新手段と、
前記ファイル一覧表示エリア内で、処理対象となるファイルが前記所定の指示手段で指示された場合、当該指示されたファイルを特定する情報と、当該ファイルを格納しているフォルダの所在情報とを関連付けて記憶する記憶手段と、
前記所定の処理の処理開始指示が入力された場合、前記記憶手段に記憶された情報に基づき、選択されたファイルを順次処理する処理手段とを備え、
前記ウインドウ表示手段は、前記記憶手段に記憶されたフォルダの所在情報に基づき、前記フォルダ一覧表示エリア内の、処理対象のファイルを記憶しているフォルダと、処理対象のファイルを記憶していないフォルダとを異なる形態で表示することを特徴とする。